【手続補正書】
【提出日】平成23年10月13日(2011.10.13)
【手続補正１】
【補正対象書類名】特許請求の範囲
【補正対象項目名】全文
【補正方法】変更
【補正の内容】
【特許請求の範囲】
【請求項１】
１つ以上のサーバ装置により実行される方法であって、前記方法は、
複数の異なるウェブサイトに対応する異なるウェブページの、複数のユーザによるアクセスに関する情報を収集するステップと、
前記複数の異なるウェブサイトの各特定のウェブサイトに対するウェブページ情報をメモリに記憶するステップとを備え、前記ウェブページ情報は、前記特定のウェブサイトに対して、前記特定のウェブサイトに関連するドメインと、前記特定のウェブサイトに関連する前記ドメインからの複数のウェブページに関する情報とを識別し、前記複数のウェブページに関する前記情報は、前記複数のウェブページの各ウェブページに対して、前記ウェブページが前記複数のユーザによってアクセスされた回数を反映する品質要因に基いて記憶され、さらに、
クライアント装置を介して、ユーザからサーチクエリを受取るステップと、
サーチ結果を生成するために前記サーチクエリに基づいてサーチを実行するステップとを備え、複数の前記サーチ結果は、複数の異なるドメインに関連する複数のウェブサイトに対応し、さらに、
前記複数のサーチ結果のうちの１つに対応する識別されたウェブサイトとして、前記複数のウェブサイトのうちの１つを識別するステップと、
前記識別されたウェブサイトに対する前記ウェブページ情報を記憶しているか否かを判定するステップと、
前記メモリが前記識別されたウェブサイトに対する前記ウェブページ情報を記憶している場合、前記識別されたウェブサイトに関連する前記ドメインからの前記複数のウェブページを、前記複数のウェブページに関連する前記品質要因に基づいて、前記メモリから識別するステップと、
前記クライアント装置のディスプレイ上での表示のために、前記サーチ結果を提供するステップとを備え、
前記サーチ結果を提供するステップは、
前記メモリが前記識別されたウェブサイトに対するウェブページ情報を記憶している場合、前記複数のサーチ結果のうちの前記１つと、前記識別されたウェブサイトに関連する前記ドメインからの前記複数のウェブページのうちのウェブページへの複数のリンクとを提供するステップ、または、
前記メモリが前記識別されたウェブサイトに対するウェブページ情報を記憶していない場合、前記識別されたウェブサイトに関連する前記ドメインからの前記複数のウェブページのうちのウェブページへのリンクなしで、前記複数のサーチ結果のうちの前記１つを提供するステップとを備える、方法。
【請求項２】
前記ウェブページに関連するリンク情報を、前記複数のウェブページの各々に対して記憶するステップをさらに備える、請求項１に記載の方法。
【請求項３】
前記複数のウェブページがアクセスされた回数に基づいて、前記複数のウェブページに対する前記リンク情報を分類するステップをさらに備える、請求項２に記載の方法。
【請求項４】
前記複数のサーチ結果のうちの１つおよび前記ウェブページへの前記複数のリンクを提供するステップは、
より頻繁にアクセスされたウェブページへのリンクが、よりアクセス頻度が低いウェブページへのリンクよりも上位に表示される順序で複数のリンクを、前記クライアント装置の前記ディスプレイ上での表示のために、提供するステップを含む、請求項１に記載の方法。
【請求項５】
前記品質要因は、前記複数のウェブページの各々にアクセスしたときに前記複数のユーザによって費やされた時間をさらに反映する、請求項１に記載の方法。
【請求項６】
前記品質要因は、前記複数のウェブページのうちの１つを示すリンクを有するウェブページの数をさらに反映する、請求項１に記載の方法。
【請求項７】
前記品質要因は、前記複数のウェブページの各々を介して品目が購入される可能性をさらに反映する、請求項１に記載の方法。
【請求項８】
前記品質要因は、前記複数のウェブページについての前記複数のユーザの以前の行動をさらに反映する、請求項１に記載の方法。
【請求項９】
前記複数のサーチ結果のうちの前記１つおよび前記ウェブページへの前記複数のリンクを提供するステップは、
前記複数のリンクの各それぞれのリンクにテキストを含めるステップを含み、テキストは、それぞれのリンクに対応するウェブページ上にあるテキストを含む、請求項１に記載の方法。
【請求項１０】
前記複数のサーチ結果のうちの前記１つおよび前記ウェブページへの前記複数のリンクを提供するステップは、
前記複数のリンクのうちのそれぞれのリンクの各々にテキストを提供するステップを含む、請求項１に記載の方法。
【請求項１１】
前記複数のサーチ結果のうちの１つと前記ウェブページへの前記複数のリンクとを提供するステップは、
前記クライアント装置の前記ディスプレイ上での表示のために、前記クライアント装置のディスプレイ上の前記複数のサーチ結果のうちの１つの表示の下に、前記複数のリンクを提供するステップを含む、請求項１に記載の方法。
【請求項１２】
前記複数の異なるウェブサイトのうちの１つのプロバイダから情報を受取るステップをさらに備え、前記プロバイダからの前記情報は、前記複数の異なるウェブサイトのうちの１つに関連する前記複数のウェブページを識別する、請求項１に記載の方法。
【請求項１３】
複数の異なるウェブサイトのうちの各特定のウェブサイトに対するウェブページ情報を記憶するための手段を含み、前記ウェブページ情報は、前記特定のウェブサイトに対して、前記特定のウェブサイトに関連するドメインからの複数のウェブページに関する情報を含み、前記複数のウェブページに関する前記情報は、前記特定のウェブサイトに関連する前記ドメインからの前記複数のウェブページの各ウェブページに対して、ウェブページが複数のユーザによってアクセスされた回数を反映する品質要因に基いて記憶され、さらに、
クライアント装置を介してユーザからサーチクエリを受取るための手段と、
サーチ結果を生成するために、前記サーチクエリに基いて、サーチを実行するための手段とを備え、複数の前記サーチ結果は、複数の異なるドメインに関連する複数のウェブサイトに対応し、さらに、
前記複数のサーチ結果のうちの１つに対応する識別されたウェブサイトとして、前記複数のウェブサイトのうちの１つを識別するための手段と、
ウェブページ情報が前記識別されたウェブサイトに対して記憶されたことを判定するための手段と、
前記ウェブページ情報が前記識別されたウェブサイトに対して記憶されている場合、前記ウェブページ情報から、前記識別されたウェブサイトに関連する前記ドメインからのウェブページの組を、前記ウェブページの組に関連する前記品質要因に基いて識別するための手段と、
前記クライアント装置のディスプレイ上での表示のために、サーチ結果を提供するための手段を備え、前記サーチ結果を提供するための手段は、前記ウェブページ情報が前記識別されたウェブサイトに対して記憶されている場合に、前記複数のサーチ結果のうちの前記１つと前記識別されたウェブサイトに関連する前記ドメインからの前記ウェブページの組内のウェブページへの複数のリンクとを提供するための手段を含む、システム。
【請求項１４】
前記複数のウェブページのうちの１つがアクセスされるとリンク情報を受取るための手段と、
前記リンク情報を受取ることに応答して、前記複数のウェブページのうちの前記１つに関連するカウント値をインクリメントするための手段とをさらに備える、請求項１３に記載のシステム。
【請求項１５】
カウント値は前記複数のウェブページの各々に関連し、前記方法は、
前記カウント値に基づいて、前記複数のウェブページに対して順序を割り当てるための手段と、
割り当てられた順序に基づいて、前記ウェブページへの前記複数のリンクを提示するための手段とをさらに備える、請求項１４に記載のシステム。
【請求項１６】
前記複数のウェブページに関連する以前のアクセス数、前記複数のウェブページのうちの１つを示すリンクを有するウェブページ数、サーチクエリが、前記複数のウェブページの各々についての情報にどの程度密接に一致するか、または前記複数のウェブページの各々へのアクセスに関連するユーザの履歴のうちの少なくとも１つに基づいて、前記複数のウェブページをランク付けするための手段をさらに備える、請求項１３に記載のシステム。
【請求項１７】
少なくとも１つのプロセッサによって実行可能な命令を記憶するコンピュータ読取可能なメモリ装置であって、プロセッサは、
複数の異なるウェブサイトの各特定のウェブサイトに対するウェブページ情報を記憶するステップを備え、前記ウェブページ情報は、前記特定のウェブサイトに対して、前記特定のウェブサイトに関連するドメインからの複数のウェブページに関する情報を含み、前記複数のウェブページに関する前記情報は、前記複数のウェブページが複数のユーザによってアクセスされた時間の量、または、前記複数のユーザが前記複数のウェブページにアクセスするのに費やした時間の長さを反映する少なくとも１つの要因に基いて記憶され、さらに、
クライアント装置からサーチクエリを受取るステップと、
サーチ結果を識別するために前記サーチクエリに基づいてサーチを実行するステップとを備え、複数の前記サーチ結果は、複数のウェブサイトに関連するウェブページに対応し、前記複数のウェブサイトのうちの少なくとも２つは異なるドメインに関連し、さらに、
前記複数のサーチ結果のうちの１つに対応する識別されたウェブページとして前記ウェブページのうちの１つを識別するステップと、
前記複数のウェブサイトのうち、前記識別されたウェブページが関連する特定のウェブサイトを識別するステップと、
前記特定のウェブサイトに関連する前記ウェブページ情報を読出すステップとを備え、前記ウェブページ情報は、前記特定のウェブサイトに関連するドメインからの複数のウェブページを識別し、さらに、
前記クライアント装置のディスプレイ上での表示のために前記複数のサーチ結果に関する情報を提供するステップを備える方法を実行し、前記複数のサーチ結果に関する前記情報は、前記複数のサーチ結果のうちの前記１つに対して、前記特定のウェブサイトに関連する前記ドメインからの前記複数のウェブページに関する情報を含む、コンピュータ読取可能なメモリ装置。
【請求項１８】
前記方法は、
前記少なくとも１つの要因に基づいて、前記複数のウェブページに関する前記情報が前記クライアント装置の前記ディスプレイ上に表示される順序を決定するステップをさらに備える、請求項１７に記載のコンピュータ読取可能なメモリ装置。
【請求項１９】
前記複数のウェブページに関する情報は、前記複数のウェブページへのリンクを含む、請求項１８に記載のコンピュータ読取可能なメモリ装置。
【請求項２０】
複数の異なるウェブサイトの各特定のウェブサイトに対するウェブページ情報を記憶するためのメモリを備え、前記ウェブページ情報は、前記特定のウェブサイトに対して、前記特定のウェブサイトに関連するドメインからの対応する複数のウェブページへの複数のリンクを含み、前記対応する複数のウェブページへの前記複数のリンクは、前記対応する複数のウェブページが複数のユーザによってアクセスされた時間の量に基いて記憶され、さらに、
サーチエンジンを備え、前記サーチエンジンは、
ユーザからサーチクエリを受取り、
サーチ結果を生成するために、前記サーチクエリに基づいてサーチを実行し、複数の前記サーチ結果は、複数のウェブサイトに関連するウェブページに対応し、前記複数のウェブサイトのうちの少なくとも２つは異なるドメインに関連し、さらに、
前記複数のサーチ結果のうちの１つに対応する識別されたウェブページとして前記ウェブページのうちの１つを識別し、
前記識別されたウェブページが関連付けられた、前記複数のウェブサイトのうちの特定の１つを識別し、
前記メモリにアクセスして、前記複数のウェブサイトのうちの前記特定の１つに関連する、前記複数のリンクのうちの、リンクのグループを識別し、前記リンクのグループ中の各リンクは、それぞれのウェブページに対応し、さらに、
前記それぞれのウェブページの各々が以前にアクセスされた時間の量に基づいて、前記リンクのグループについて順序を決定し、
前記サーチ結果と前記リンクのグループとを、前記決定した順序でユーザに提供する、システム。
【請求項２１】
前記リンクのグループについて順序を決定する際、前記サーチエンジンは、それぞれのリンクの各々に対応する前記それぞれのウェブページをユーザがスクロールしたかどうかに基づいて前記リンクのグループを並べ替える、請求項２０に記載のシステム。
【請求項２２】
前記サーチ結果および前記リンクのグループは、ユーザインターフェイスによってユーザに提供され、かつ、前記リンクのグループに対する順序は、前記リンクのグループ中の各々のリンクの品質の度合いにさらに基く、請求項２０に記載のシステム。
【請求項２３】
１つ以上のサーバ装置によって実行される方法であって、
複数の異なるウェブサイトの各特定のウェブサイトに対するウェブページ情報を記憶するステップを備え、前記ウェブページ情報は、前記特定のウェブサイトに対して、前記特定のウェブサイトに関連するドメインからの複数のウェブページに関する情報を含み、前記複数のウェブページに関する前記情報は、前記複数のウェブページの各ウェブページに対して、前記ウェブページが複数のユーザによってアクセスされた時間の量を含む少なくとも１つの要因に基いて記憶され、さらに、
クライアント装置からサーチクエリを受取るステップと、
前記サーチクエリに一致するサーチ結果を識別するために、前記サーチクエリに基いて、サーチを実行するステップとを備え、複数の前記サーチ結果は、複数のウェブサイトに関連するウェブページに対応し、前記複数のウェブサイトのうちの少なくとも２つは、異なるドメインに関連し、さらに、
前記複数のサーチ結果のうちの１つに対応する識別されたウェブページとして、前記ウェブページのうちの１つを識別するステップと、
前記識別されたウェブページに関連する前記複数のウェブサイトのうちの特定の１つを識別するステップと、
前記複数のウェブサイトのうちの前記特定の１つに関連する前記ウェブページ情報を読出すステップとを備え、前記ウェブページ情報は、前記複数のウェブサイトのうちの前記特定の１つに関連する前記ドメインからの前記複数のウェブページを識別し、さらに、
前記複数のウェブページに関連する前記少なくとも１つの要因に基づいて、前記複数のウェブページに対して順序を定めるステップと、
前記クライアント装置のディスプレイ上での表示のために、前記複数のサーチ結果に関する情報を提供するステップとを備え、前記複数のサーチ結果に関する前記情報は、前記複数のサーチ結果のうちの前記１つに対して、前記複数のウェブサイトのうちの前記特定の１つに関連する前記ドメインからの前記複数のウェブページへのリンクを前記定められた順序で含む、方法。
【請求項２４】
少なくとも１つの要因は、ユーザが前記複数のウェブページにアクセスしたときに前記ユーザが前記複数のウェブページをスクロールしたかどうか、または前記複数のウェブページをスクロールせずに前記複数のウェブページを終了したかどうかに関する情報を含む、請求項２３に記載の方法。
【請求項２５】
１つ以上のサーバ装置により実行される方法であって、前記方法は、
クライアント装置からサーチクエリを受取るステップと、
複数のサーチ結果を識別するために、前記サーチクエリに基いてサーチを実行するステップと、
前記複数のサーチ結果についての情報を含むサーチ結果のリストを作成するステップとを備え、
前記複数のサーチ結果のうちの１つについての情報は、
前記複数のサーチ結果のうちの前記１つについてのタイトルと、
前記複数のサーチ結果のうちの前記１つに対応し、特定のウェブサイトに関連するウェブページからのテキストと、
前記複数のサーチ結果のうちの前記１つに関連する前記ウェブページのアドレスを識別する情報と、
前記特定のウェブサイトに関連する他のウェブページへの複数のリンクとを含み、前記他のウェブページへの前記複数のリンクは、前記サーチクエリが受取られる前に前記特定のウェブサイトに関連するサーチ結果とともに表示するために識別されたものであり、さらに、
前記サーチクエリに応答して前記サーチ結果のリストを前記クライアント装置に提供するステップを備える、方法。
【請求項２６】
前記複数のサーチ結果のうちの前記１つについての前記情報は、前記特定のウェブサイトのサーチを実行するためのオプションをさらに含み、
前記方法は、
前記オプションの選択を受取るステップと、
前記オプションの前記選択を受取ることに応答して、前記特定のウェブサイトのサーチを実行させるステップとをさらに備える、請求項２５に記載の方法。
【請求項２７】
前記特定のウェブサイトに関連する前記他のウェブページの各々について品質の度合いを判断するステップをさらに備え、前記他のウェブページのうちの１つについての前記品質の度合いは、前記他のウェブページのうちの前記１つが複数のクライアント装置によってアクセスされた時間の総量に関し、さらに、
前記特定のウェブサイトに関して、前記他のウェブページのうちの前記１つについての情報を、前記他のウェブページのうちの前記１つについての前記品質の度合いに基いて記憶するステップを備え、前記他のウェブページのうちの前記１つについての前記情報は、前記サーチクエリが受取られる前に記憶される、請求項２５に記載の方法。
【請求項２８】
前記特定のウェブサイトに関連する前記他のウェブページの各々について品質の度合いを判断するステップをさらに備え、前記他のウェブページのうちの１つについての前記品質の度合いは、前記他のウェブページのうちの前記１つを示すリンクの総数に関し、さらに、
前記特定のウェブサイトに関して、前記他のウェブページのうちの前記１つについての情報を、前記他のウェブページのうちの前記１つについての前記品質の度合いに基いて記憶するステップを備え、前記他のウェブページのうちの前記１つについての前記情報は、前記サーチクエリが受取られる前に記憶される、請求項２５に記載の方法。
【請求項２９】
前記特定のウェブサイトに関連する前記他のウェブページの各々について品質の度合いを判断するステップをさらに備え、前記他のウェブページのうちの１つについての前記品質の度合いは、特定のクライアント装置が前記他のウェブページのうちの前記１つを介して入手可能な品目の購入を行なう可能性に関し、さらに、
前記特定のウェブサイトに関して、前記他のウェブページのうちの前記１つについての情報を、前記他のウェブページのうちの前記１つについての前記品質の度合いに基いて記憶するステップを備え、前記他のウェブページのうちの前記１つについての前記情報は、前記サーチクエリが受取られる前に記憶される、請求項２５に記載の方法。
【請求項３０】
前記特定のウェブサイトに関連する前記他のウェブページの各々について品質の度合いを判断するステップと、
ランク付けしたリストを作成するために、前記品質の度合いに基いて前記他のウェブページをランク付けするステップと、
前記ランク付けしたリストを記憶するステップとをさらに備える、請求項２５に記載の方法。
【請求項３１】
１つ以上のサーバ装置であって、
クライアント装置からサーチクエリを受取るための手段と、
複数のサーチ結果を識別するために、前記サーチクエリに基いてサーチを実行するための手段と、
前記複数のサーチ結果についての情報を含むサーチ結果のリストを作成するための手段とを備え、
前記複数のサーチ結果のうちの１つについての情報は、
前記複数のサーチ結果のうちの前記１つについてのタイトルと、
前記複数のサーチ結果のうちの前記１つに対応し、特定のウェブサイトに関連するウェブページからのテキストと、
前記複数のサーチ結果のうちの前記１つに関連する前記ウェブページのアドレスを識別する情報と、
前記特定のウェブサイトに関連する他のウェブページへの複数のリンクとを含み、前記他のウェブページへの前記複数のリンクは、前記サーチクエリが受取られる前に前記特定のウェブサイトに関連するサーチ結果と合わせての表示のために識別されたものであり、さらに、
前記サーチクエリに応答して前記サーチ結果のリストを前記クライアント装置に提供するための手段を備える、１つ以上のサーバ装置。
【請求項３２】
前記複数のサーチ結果のうちの前記１つについての前記情報は、前記特定のウェブサイトのサーチを実行するためのオプションをさらに含み、
前記１つ以上のサーバ装置は、
前記オプションの選択を受取るための手段と、
前記オプションの前記選択を受取ることに応答して、前記特定のウェブサイトのサーチを実行させるための手段とをさらに含む、請求項３１に記載の１つ以上のサーバ装置。
【請求項３３】
前記特定のウェブサイトに関連する前記他のウェブページの各々について品質の度合いを判断するための手段をさらに備え、前記他のウェブページのうちの１つについての前記品質の度合いは、前記他のウェブページのうちの前記１つが複数のクライアント装置によってアクセスされた時間の総量に関し、さらに、
前記特定のウェブサイトに関して、前記他のウェブページのうちの前記１つについての情報を、前記他のウェブページのうちの前記１つについての前記品質の度合いに基いて記憶するための手段を備え、前記他のウェブページのうちの前記１つについての前記情報は、前記サーチクエリが受取られる前に記憶される、請求項３１に記載の１つ以上のサーバ装置。
【請求項３４】
前記特定のウェブサイトに関連する前記他のウェブページの各々について品質の度合いを判断するための手段をさらに備え、前記他のウェブページのうちの１つについての前記品質の度合いは、前記他のウェブページのうちの前記１つを示すリンクの総数に関し、さらに、
前記特定のウェブサイトに関して、前記他のウェブページのうちの前記１つについての情報を、前記他のウェブページのうちの前記１つについての前記品質の度合いに基いて記憶するための手段を備え、前記他のウェブページのうちの前記１つについての前記情報は、前記サーチクエリが受取られる前に記憶される、請求項３１に記載の１つ以上のサーバ装置。
【請求項３５】
前記特定のウェブサイトに関連する前記他のウェブページの各々について品質の度合いを判断するための手段をさらに備え、前記他のウェブページのうちの１つについての前記品質の度合いは、特定のクライアント装置が前記他のウェブページのうちの前記１つを介して入手可能な品目の購入を行なう可能性に関し、さらに、
前記特定のウェブサイトに関して、前記他のウェブページのうちの前記１つについての情報を、前記他のウェブページのうちの前記１つについての前記品質の度合いに基いて記憶するための手段を備え、前記他のウェブページのうちの前記１つについての前記情報は、前記サーチクエリが受取られる前に記憶される、請求項３１に記載の１つ以上のサーバ装置。
【請求項３６】
前記特定のウェブサイトに関連する前記他のウェブページの各々について品質の度合いを判断するための手段と、
ランク付けしたリストを作成するために、前記品質の度合いに基いて前記他のウェブページをランク付けするための手段と、
前記ランク付けしたリストを記憶するための手段とをさらに備える、請求項３１に記載の１つ以上のサーバ装置。